(57)【要約】【課題】端子金具を相手側の端子金具と確実に接続でき、端子金具が破損することを防止できるコネクタを提供する。【解決手段】コネクタ１は雄端子３を収容する筒状のコネクタハウジング４と雄端子３がコネクタハウジング４から抜け出ることを許容する仮係止位置と雄端子３がコネクタハウジング４から抜け出ることを規制する本係止位置とに亘って移動自在にコネクタハウジング４に取り付けられたインナホルダ５を備えている。コネクタハウジング４の外壁１３を貫通しかつインナホルダ５の外面１４ａと相対するとともにインナホルダ５をコネクタハウジング４の外側から押圧可能にしてインナホルダ５を仮係止位置と本係止位置とに亘って移動可能とする操作用孔９が設けられている。【選択図】      図２
2004241330.tif 000002
【特許請求の範囲】
【請求項１】
端子金具を収容する筒状のコネクタハウジングと、
前記コネクタハウジング内に収容され、かつ前記端子金具がコネクタハウジングから抜け出ることを許容する仮係止位置と前記端子金具がコネクタハウジングから抜け出ることを規制する本係止位置とに亘って移動自在に前記コネクタハウジングに取り付けられたインナホルダと、を備え、
前記インナホルダは、前記コネクタハウジングの一方の開口部を通してこのコネクタハウジング内に挿入され、前記仮係止位置と本係止位置とに亘ってコネクタハウジング内に挿入される方向に沿って移動するとともに、
前記コネクタハウジングの外壁を貫通しかつインナホルダの外面と相対するとともに、前記インナホルダを前記コネクタハウジングの外側から押圧可能にして、前記インナホルダを前記仮係止位置と本係止位置とに亘って移動可能とする操作用孔が設けられていることを特徴とするコネクタ。
【請求項２】
前記インナホルダは、前記コネクタハウジングに取り付けられると前記操作用孔内に位置付けられるとともにコネクタハウジングの外側から操作可能な操作部を備えたことを特徴とする請求項１記載のコネクタ。
【請求項３】
前記インナホルダは、前記コネクタハウジングに取り付けられる本体部を備え、
前記操作部は、前記本体部の外面からコネクタハウジングの外側に向かって突出していることを特徴とする請求項２記載のコネクタ。
【請求項４】
前記操作用孔の内縁から立設しかつ互いの間に前記操作部を位置付ける一対の保護壁が設けられ、
これら一対の保護壁は、前記インナホルダの移動する方向に対し交差する方向に沿って互いに間隔をあけているとともに、前記操作部より前記コネクタハウジングの外壁から突出していることを特徴とする請求項３記載のコネクタ。
【請求項５】
前記インナホルダは、前記コネクタハウジングの内面に係止してコネクタハウジングから脱落することを防止する脱落防止突起と、
前記コネクタハウジングの内面に係止して前記インナホルダを前記仮係止位置と本係止位置とのうちいずれか一方に位置付けるとともに前記仮係止位置と本係止位置とに亘って変位することを許容する切り換え突起と、を備え、
前記脱落防止突起と切り換え突起とは、前記インナホルダの移動する方向に対し交差する方向に沿って並んでいることを特徴とする請求項１ないし請求項４のうちいずれか一項に記載のコネクタ。
【発明の詳細な説明】
【０００１】
【発明の属する技術分野】
本発明は、電線の接続等に使用されるコネクタに関する。
【０００２】
【従来の技術】
移動体としての自動車には、多種多様な電子機器が搭載される。前記自動車は、前記電子機器に電力や制御信号などを伝えるために、ワイヤハーネスを配索している。ワイヤハーネスは、複数の電線と、コネクタと、を備えている。電線は、導電性の芯線と、該芯線を被覆する絶縁性の被覆部と、を備えた所謂被覆電線である。
【０００３】
前述したコネクタとして、例えば、図９ないし図１１に断面で示すコネクタ１０１（例えば、特許文献１参照。）が用いられる。図９ないし図１１に例示されたコネクタ１０１は、図示しない端子金具としての雄型の端子金具（以下雄端子と呼ぶ）と、コネクタハウジング１０２と、インナホルダ１０３と、を備えている。
【０００４】
雄端子は、導電性の板金などからなり、電線接続部と電気接触部とを備えている。電線接続部には、前述の電線が電気的及び機械的に接続される。電気接触部は、板状に形成されているとともに、電線接続部に連なっている。電気接触部は、コネクタ１０１に嵌合する相手側のコネクタの雌型の端子金具の電気接触部内に侵入して、該雌型の端子金具の電気接触部と電気的に接続する。
【０００５】
コネクタハウジング１０２は、絶縁性の合成樹脂からなり筒状に形成されている。コネクタハウジング１０２は、図９（ｂ）、図１０（ｂ）及び図１１（ｂ）に示すように、雄端子を収容する端子収容室１０４を複数備えている。端子収容室１０４は、直線状に形成されており、互いに平行に並べられている。端子収容室１０４は、雄端子の電気接触部がコネクタハウジング１０２の一方の開口部１０２ａに相対し、かつ雄端子の電線接続部がコネクタハウジング１０２の他方の開口部１０２ｂに相対した状態で、雄端子を収容する。
【０００６】
インナホルダ１０３は、コネクタハウジング１０２の一方の開口部１０２ａを通して、該コネクタハウジング１０２内に挿入される。そして、インナホルダ１０３は、コネクタハウジング１０２の内面に係止して、このコネクタハウジング１０２に取り付けられる。インナホルダ１０３は、コネクタハウジング１０２に取り付けられると、図９（ａ）、図１０（ａ）及び図１１（ａ）に示す仮係止位置と、図９（ｂ）、図１０（ｂ）及び図１１（ｂ）に示す仮係止位置とに亘って、移動自在である。また、インナホルダ１０３は、コネクタハウジング１０２に取り付けられると、雄端子の電気接触部をコネクタハウジング１０２に対し位置決めする。
【０００７】
仮係止位置では、インナホルダ１０３は、他方の開口部１０２ｂを通して雄端子が端子収容室１０４内に侵入することを許容するとともに、他方の開口部１０２ｂを通して雄端子が端子収容室１０４内から抜け出ることを許容する。本係止位置では、インナホルダ１０３は、端子収容室１０４内の雄端子が他方の開口部１０２ｂを通して端子収容室１０４内から抜け出ることを規制する。また、本係止位置では、雄端子の電気接触部は、インナホルダ１０３から一方の開口部１０２ａに向かって突出している。
【０００８】
又、前述したインナホルダ１０３には、治具１０５などを引っ掛けることを可能とする引っ掛かり部１０６が形成されている。前述したインナホルダ１０３は、一方の開口部１０２ａを通してコネクタハウジング１０２内に挿入された治具１０５の先端部１０５ａが、引っ掛かり部１０６に引っ掛けられることで、前述した仮係止位置と本係止位置とに亘って移動される。
【０００９】
【特許文献１】
特開２００２−３４３４９９号公報
【００１０】
【発明が解決しようとする課題】
前述した従来のコネクタ１０１では、特に、本係止位置において、インナホルダ１０３から雄端子の電気接触部が一方の開口部１０２ａに向かって突出している。このため、特にインナホルダ１０３を本係止位置から仮係止位置に向かって移動するために、引っ掛かり部１０６に引っ掛ける際に、治具１０５の先端部１０５ａが不意に雄端子の電気接触部に接触することがあった。
【００１１】
治具１０５の先端部１０５ａが雄端子の電気接触部に接触すると、この雄端子の電気接触部が折れ曲がることがあった。雄端子の電気接触部が折れ曲がると、前述した相手側のコネクタの雌端子と接続できなくなることがあった。治具１０５の先端部１０５ａが雄端子の電気接触部に接触すると、最悪の場合には、電気接触部が折れ曲がって電線接続部から破断するなどの雄端子が破損する虞があった。
【００１２】
したがって、本発明の目的は、コネクタハウジング内に収容されるインナホルダを備えたコネクタであって、端子金具を相手側の端子金具と確実に接続でき、端子金具が破損することを防止できるコネクタを提供することにある。
【００１３】
【課題を解決するための手段】
前述した課題を解決し目的を達成するために、請求項１に記載の本発明のコネクタは、端子金具を収容する筒状のコネクタハウジングと、前記コネクタハウジング内に収容され、かつ前記端子金具がコネクタハウジングから抜け出ることを許容する仮係止位置と前記端子金具がコネクタハウジングから抜け出ることを規制する本係止位置とに亘って移動自在に前記コネクタハウジングに取り付けられたインナホルダと、を備え、前記インナホルダは、前記コネクタハウジングの一方の開口部を通してこのコネクタハウジング内に挿入され、前記仮係止位置と本係止位置とに亘ってコネクタハウジング内に挿入される方向に沿って移動するとともに、前記コネクタハウジングの外壁を貫通しかつインナホルダの外面と相対するとともに、前記インナホルダを前記コネクタハウジングの外側から押圧可能にして、前記インナホルダを前記仮係止位置と本係止位置とに亘って移動可能とする操作用孔が設けられていることを特徴としている。
【００１４】
請求項２に記載の本発明のコネクタは、請求項１に記載のコネクタにおいて、前記インナホルダは、前記コネクタハウジングに取り付けられると前記操作用孔内に位置付けられるとともにコネクタハウジングの外側から操作可能な操作部を備えたことを特徴としている。
【００１５】
請求項３に記載の本発明のコネクタは、請求項２に記載のコネクタにおいて、前記インナホルダは、前記コネクタハウジングに取り付けられる本体部を備え、前記操作部は、前記本体部の外面からコネクタハウジングの外側に向かって突出していることを特徴としている。
【００１６】
請求項４に記載の本発明のコネクタは、請求項３に記載のコネクタにおいて、前記操作用孔の内縁から立設しかつ互いの間に前記操作部を位置付ける一対の保護壁が設けられ、これら一対の保護壁は、前記インナホルダの移動する方向に対し交差する方向に沿って互いに間隔をあけているとともに、前記操作部より前記コネクタハウジングの外壁から突出していることを特徴としている。
【００１７】
請求項５に記載の本発明のコネクタは、請求項１ないし請求項４のうちいずれか一項に記載のコネクタにおいて、前記インナホルダは、前記コネクタハウジングの内面に係止してコネクタハウジングから脱落することを防止する脱落防止突起と、前記コネクタハウジングの内面に係止して前記インナホルダを前記仮係止位置と本係止位置とのうちいずれか一方に位置付けるとともに前記仮係止位置と本係止位置とに亘って変位することを許容する切り換え突起と、を備え、前記脱落防止突起と切り換え突起とは、前記インナホルダの移動する方向に対し交差する方向に沿って並んでいることを特徴としている。
【００１８】
請求項１に記載した本発明のコネクタによれば、コネクタハウジングの外壁を貫通した操作用孔を通して、インナホルダを押圧することで、このインナホルダを仮係止位置と本係止位置とに亘って移動できる。仮係止位置と本係止位置とに亘って移動する際にインナホルダに接触する治具などが操作用孔を通してコネクタハウジング内に挿入され、操作用孔がインナホルダの外面と相対している。このため、前述した治具などが不意に端子金具に接触することを防止できる。
【００１９】
請求項２に記載した本発明のコネクタによれば、操作部が操作用孔内に位置付けられるので、この操作部を確実に操作できる。このため、インナホルダを仮係止位置と本係止位置とに亘って確実に移動できる。
【００２０】
請求項３に記載した本発明のコネクタによれば、操作部がインナホルダの本体部から突出している。このため、操作部を確実に押圧でき、この操作部を押圧することで、インナホルダを仮係止位置と本係止位置とに亘って確実に移動できる。
【００２１】
請求項４に記載した本発明のコネクタによれば、一対の保護壁がインナホルダの移動する方向に対し交差する方向に沿って互いに間隔をあけ、互いの間に操作部を位置付けている。このため、保護壁が操作部の移動を妨げない。また、一対の保護壁間に操作部が配され、保護壁が操作部よりコネクタハウジングの外壁から突出している。このため、外部の物品が、不意に操作部に接触して、この操作部をインナホルダの移動する方向に沿って押圧することを防止できる。
【００２２】
請求項５に記載した本発明のコネクタによれば、インナホルダの脱落防止突起と切り換え突起とが、インナホルダの移動する方向に対し交差する方向に沿って並んでいる。このため、インナホルダを成形する際に用いる金型などの構成を簡便にできる。
【００２３】
【発明の実施の形態】
本発明の第１の実施形態にかかるコネクタを図１ないし図５を参照して説明する。図１などに示すコネクタ１は、自動車などに配索されるワイヤハーネスを構成する。ワイヤハーネスは、複数の電線２（図５及び図６に示す）と、図５及び図６に示すコネクタ１とを備えている。電線２は、導電性の芯線と、この芯線を被覆する絶縁性の被覆部とを備えている。
【００２４】
コネクタ１は、図１、図２、図５及び図６などに示すように、端子金具としての雄型の端子金具（図２、図５及び図６に示す）３と、コネクタハウジング４と、インナホルダ５（図２、図５及び図６に示す）と、を備えている。
【００２５】
雄端子３は、導電性の板金などからなり、電線接続部６と電気接触部７とを備えている。電線接続部６には、前述の電線２が電気的及び機械的に接続される。電気接触部７は、板状に形成されているとともに、電線接続部６に連なっている。電気接触部７は、コネクタ１に嵌合する相手側のコネクタの雌型の端子金具（以下雌端子と呼ぶ）の電気接触部内に侵入して、該雌端子の電気接触部と電気的に接続する。
【００２６】
コネクタハウジング４は、絶縁性の合成樹脂からなり、図１、図３及び図４に示すように、筒状の本体部８と、操作用孔９と、一対の保護壁１０とを備えている。本体部８は、図３ないし図６に示すように、雄端子３を収容する端子収容室１１を複数備えている。端子収容室１１は、直線状に形成されており、互いに平行に並べられている。また、端子収容室１１には、係止爪１２が設けられている。係止爪１２は、端子収容室１１の内面と一体に形成されており、この内面から該端子収容室１１の内側に向かって伸びている。係止爪１２は、雄端子３の電気接触部７の電線接続部６寄りの縁に係止する。
【００２７】
端子収容室１１は、雄端子３の電気接触部７がコネクタハウジング４の本体部８の一方の開口部８ａ（図２などに示す）に相対し、かつ雄端子３の電線接続部７がコネクタハウジング４の本体部８の他方の開口部８ｂ（図２などに示す）に相対した状態で、雄端子３を収容する。一方及び他方の開口部８ａ，８ｂは、本明細書に記したコネクタハウジング４の一方及び他方の開口部をなしている。
【００２８】
本体部８が筒状に形成されかつ雄端子３を収容することで、コネクタハウジング４は、筒状に形成されかつ雄端子３を収容する。また、雄端子３は、その長手方向に沿う図１中の矢印Ｘ１に沿って、他方の開口部８ｂを通して端子収容室１１内に収容される。矢印Ｘ１は、雄端子３がコネクタハウジング４内に挿入される方向をなしている。
【００２９】
操作用孔９は、コネクタハウジング４の本体部８の外壁１３を貫通している。外壁１３は、本明細書に記したコネクタハウジング４の外壁をなしている。操作用孔９の平面形状は、矩形状である。操作用孔９は、内側にコネクタハウジング４に取り付けられたインナホルダ５の後述の本体部１４の外面１４ａを位置付ける。操作用孔９の内側にインナホルダ５の本体部１４の外面１４ａが位置することを、本明細書では、操作用孔９とインナホルダ５の外面１４ａとが相対するという。インナホルダ５の本体部１４の外面１４ａは、本明細書に記したインナホルダ５の外面をなしている。
【００３０】
また、操作用孔９の長手方向は、矢印Ｘ１と平行である。また、操作用孔９の内側には、後述の操作部１５が位置付けられる。操作部１５は、コネクタハウジング４の外側から図５及び図６に示す治具１６などを用いて、矢印Ｘ２，Ｘ１に沿って押圧可能でる。なお、矢印Ｘ２は、本明細書に記したインナホルダ５がコネクタハウジング４内に挿入される方向をなしており、前述の矢印Ｘ１と平行でかつ逆向きである。
【００３１】
操作部１５は、インナホルダ５が後述の仮係止位置に位置付けられると、操作用孔９の一方の開口部８ａ寄りの端部に位置する。操作部１５は、インナホルダ５が後述の本係止位置に位置付けられると、操作用孔９の他方の開口部８ｂ寄りの端部に位置する。
【００３２】
操作用孔９は、コネクタハウジング４の本体部８の外壁１３を貫通しかつインナホルダ５の外面１４ａと相対する。操作用孔９は、操作部１５及び外面１４ａを内側に位置付けて、インナホルダ５をコネクタハウジング４の外側から矢印Ｘ１，Ｘ２に沿って押圧可能にして、インナホルダ５を矢印Ｘに沿って仮係止位置と本係止位置とに亘って移動可能とする。矢印Ｘは、矢印Ｘ１，Ｘ２と平行でかつインナホルダ５の移動する方向をなしており、雄端子３の長手方向に沿っている。
【００３３】
保護壁１０は、コネクタハウジング４の本体部８の外壁１３から立設している。保護壁１０は、操作用孔９の内縁に設けられている。一対の保護壁１０は、図７に示すように、互いの間に操作部１５を位置付ける。このため、一対の保護壁１０は、操作用孔９の内縁から立設しかつ互いの間に操作部１５を位置付ける。一対の保護壁１０は、図７に示すように、前述した矢印Ｘに対し直交（交差）するコネクタハウジング４、インナホルダ５及び雄端子３のなどの幅方向に沿う矢印Ｙに沿って、互いに間隔をあけている。
【００３４】
また、保護壁１０は、前記矢印Ｘ，Ｘ２に沿って操作部１５よりコネクタハウジング４の本体部８の外壁１３から突出している。さらに、保護壁１０は、前記矢印Ｘ，Ｙ双方に対し直交（交差）するコネクタハウジング４、インナホルダ５及び雄端子３のなどの厚み方向に沿う矢印Ｚに沿って、操作部１５よりコネクタハウジング４の本体部８の外壁１３から突出している。
【００３５】
さらに、コネクタハウジング４には、図２及び図８などに示すように、インナホルダスライド溝１７（図８には一方のみ示す）が一対設けられている。インナホルダスライド溝１７は、コネクタハウジング４の本体部８の矢印Ｙに沿って互いに相対する一対の内面に設けられている。インナホルダスライド溝１７は、前記内面から凹に形成されかつ前記矢印Ｘに沿って直線状に伸びている。
【００３６】
インナホルダスライド溝１７は、内側にインナホルダ５の矢印Ｙ方向の両縁を位置付けることで、インナホルダ５をインナホルダスライド溝１７の長手方向（矢印Ｘ）に沿って、スライド自在に支持する。コネクタハウジング４は、インナホルダスライド溝１７の内側にインナホルダ５の矢印Ｙ方向の両縁を位置付けることで、インナホルダ５を前述した仮係止位置と本係止位置とに亘って移動自在に本体部８に取り付ける。
【００３７】
インナホルダスライド溝１７の長手方向の中央には、図８に示すように、ストッパ突起１８と、第２切り換え突起１９とが設けられている。ストッパ突起１８と第２切り換え突起１９は、インナホルダスライド溝１７の内面から突出している。ストッパ突起１８は、第２切り換え突起１９より一方の開口部８ａ寄りに配され、ストッパ突起１８は、インナホルダスライド溝１７内に位置付けられたインナホルダ５の後述の脱落防止突起２０と、矢印Ｘに沿って相対する。
【００３８】
第２切り換え突起１９は、ストッパ突起１８より他方の開口部８ｂ寄りに配されている。第２切り換え突起１９は、インナホルダスライド溝１７内に位置付けられたインナホルダ５の後述の切り換え突起２１と、矢印Ｘに沿って相対する。
【００３９】
インナホルダ５は、図２に示すように、箱状の本体部１４と、操作部１５と、一対の脱落防止突起２０（図２には一方のみ図示する）と、一対の切り換え突起２１（図２には一方のみ図示する）とを一体に備えている。本体部１４は、矢印Ｙ方向の両縁がインナホルダスライド溝１７内に位置付けられることで、コネクタハウジング４の本体部８に取り付けられる。インナホルダ５は、本体部１４の矢印Ｙ方向の両縁がインナホルダスライド溝１７内に位置付けられることで、コネクタハウジング４に、前述した仮係止位置と本係止位置とに亘って、矢印Ｘに沿って移動自在に取り付けられる。
【００４０】
また、インナホルダ５の本体部１４は、仮係止位置では、図３及び図５に示すように、矢印Ｘに沿って係止爪１２と間隔をあけている。インナホルダ５の本体部１４は、仮係止位置では、係止爪１２が弾性変形することを許容する。このため、インナホルダ５は、仮係止位置では、係止爪１２が弾性変形することを許容して、端子収容室１１内に他方の開口部８ｂを通して雄端子３が侵入することを許容するとともに、端子収容室１１内の雄端子３が他方の開口部８ｂを通してコネクタハウジング４の本体部８内から抜け出ることを許容する。
【００４１】
さらに、インナホルダ５の本体部１４は、本係止位置では、図４及び図６に示すように、矢印Ｚに沿って係止爪１２と重なっている。インナホルダ５の本体部１４は、本係止位置では、係止爪１２が弾性変形することを規制する。このため、インナホルダ５は、本係止位置では、係止爪１２が弾性変形すること規制して、端子収容室１１内の雄端子３が他方の開口部８ｂを通してコネクタハウジング４の本体部８内から抜け出ることを規制する。
【００４２】
また、インナホルダ５の本体部１４は、コネクタハウジング４に取り付けられると、図３及び図５に示す仮係止位置と、図４及び図６に示す本係止位置とに亘って、移動自在である。このため、インナホルダ５は、一方の開口部８ａを通してコネクタハウジング４内に挿入される方向Ｘ２（矢印Ｘ）に沿って、前記仮係止位置と本係止位置とに亘って移動自在である。
【００４３】
また、インナホルダ５の本体部１４には、図５及び図６に示すように、複数の位置決め用孔２２が貫通している。位置決め用孔２２は、特に本係止位置で内側に雄端子３の電気接触部７を通す。また、本係止位置では、雄端子２の電気接触部７は、位置決め用孔２２を通して、インナホルダ５の本体部１４から一方の開口部８ａに向かって突出する。インナホルダ５は、本体部１４がコネクタハウジング４に取り付けられ、かつ位置決め用孔２２内に雄端子３の電気接触部７を通すことで、雄端子３の電気接触部７をコネクタハウジング４に対し位置決めする。
【００４４】
操作部１５は、本体部１４の外面１４ａからコネクタハウジング４の外側に向かって突出している。操作部１５は、本体部１４がコネクタハウジング４の本体部８に取り付けられると、前述した操作用孔９内に位置付けられる。また、操作部１５は、本体部１４がコネクタハウジング４の本体部８に取り付けて操作用孔９内に位置付けられると、コネクタハウジング４の本体部８の外面よりコネクタハウジング４の本体部８の外側に突出している。操作部１５は、コネクタハウジング４の本体部８の外面よりコネクタハウジング４の本体部８の外側に突出することで、コネクタハウジング４の外側から操作可能となっている。
【００４５】
操作部１５は、本体部１４が仮係止位置に位置付けられると、操作用孔９の一方の開口部８ａ寄りの端部内に位置し、本体部１４が本係止位置に位置付けられると、操作用孔９の他方の開口部８ｂ寄りの端部内に位置する。
【００４６】
一対の脱落防止突起２０と一対の切り換え突起２１とは、本体部１４の矢印Ｙ方向の両縁それぞれに、一つずつ設けられている。本体部１４の矢印Ｙ方向の縁では、図２に示すように、脱落防止突起２０と切り換え突起２１とが矢印Ｚに沿って並んでいる。
【００４７】
インナホルダ５の本体部１４がコネクタハウジング４の本体部８に取り付けられると、脱落防止突起２０の一方の開口部８ａ寄りの端面２３（図８に示す）は、前述した矢印Ｘに対し直交（交差）しているとともに、矢印Ｙ，Ｚに沿って平坦である。脱落防止突起２０の他方の開口部８ｂ寄りの端面２４（図８に示す）は、前述した矢印Ｘ，Ｙ，Ｚに対し交差しているとともに、他方の開口部８ｂに向かうにしたがって徐々にインナホルダ５の本体部１４の内側に向かう方向に傾斜している。
【００４８】
切り換え突起２１の一方の開口部８ａ寄りの端面２５（図８に示す）は、前記矢印Ｘ，Ｙ，Ｚに対し交差しているとともに、他方の開口部８ｂに向かうにしたがって徐々にインナホルダ５の本体部１４の外側に向かう方向に傾斜している。切り換え突起２１の他方の開口部８ｂ寄りの端面２６（図８に示す）は、前記矢印Ｘ，Ｙ，Ｚに対し交差しているとともに、他方の開口部８ｂに向かうにしたがって徐々にインナホルダ５の本体部１４の内側に向かう方向に傾斜している。
【００４９】
前述したコネクタ１は、矢印Ｘ１に沿って、他方の開口部８ｂを通して雄端子３が端子収容室１１内に挿入される。すると、図５にすように、係止爪１２が雄端子３に係止する。そして、一方の開口部８ａを通して、インナホルダ５を矢印Ｘ２に沿ってコネクタハウジング４の本体部８内に挿入する。そして、インナホルダ５の脱落防止突起２０及び切り換え突起２１が、コネクタハウジング４のインナホルダスライド溝１７内に侵入する。
【００５０】
すると、脱落防止突起２０の端面２４がストッパ突起１８に接触した後、コネクタハウジング４の本体部８が拡がる方向に弾性変形して、図８（ａ）及び図８（ｂ）に示すように、脱落防止突起２０の端面２３がストッパ突起１８に密に接触する。こうして、インナホルダ５は、コネクタハウジング４の内面に係止して、このコネクタハウジング４に取り付けられる。
【００５１】
さらに、操作用孔９の一方の開口部８ａ寄りの端部内に操作部１５が位置付けられる。こうして、インナホルダ５は、図３及び図５に示す仮係止位置に位置付けられる。
【００５２】
また、インナホルダ５の脱落防止突起２０の端面２３が前述した矢印Ｙ，Ｚに沿って平坦に形成されているので、脱落防止突起２０は、インナホルダ５がコネクタハウジング４から脱落することを防止する。このように、脱落防止突起２０は、コネクタハウジング４の内面に係止して、インナホルダ５がコネクタハウジング４から脱落することを防止する。
【００５３】
さらに、前述した仮係止位置では、図８（ｂ）に示すように、切り換え突起２１の端面２６と、第２切り換え突起１９とが矢印Ｘに沿って相対している。そして、図５に示すように、操作用孔９の一方の開口部８ａ寄りの端部内に位置付けられた操作部１５を治具１６などで、矢印Ｘ２に沿って押圧する。すると、前述した端面２５，２６が前述した矢印Ｘ，Ｙ，Ｚに対し交差しかつ前述した方向に傾斜しているので、インナホルダ５が縮まりかつコネクタハウジング４が拡がる方向に弾性変形して、インナホルダ５が矢印Ｘに沿って移動する。
【００５４】
そして、図４及び図６に示すように、操作部１５が操作用孔９の他方の開口部８ｂ寄りの端部内に位置付けられ、インナホルダ５が本係止位置に位置付けられる。本係止位置では、係止爪１２が弾性変形することをインナホルダ５の本体部１４が規制して、雄端子３がコネクタハウジング４内から抜け出ることを防止する。本係止位置では、図８（ｃ）及び図８（ｄ）に示すように、切り換え突起２１の端面２５と、第２切り換え突起１９とが矢印Ｘに沿って相対するとともに、図６に示すように位置決め用孔２２を通して雄端子３の電気接触部７が一方の開口部８ａに向かって突出している。
【００５５】
こうして、インナホルダ５は、仮係止位置と本係止位置とに亘ってスライドする。さらに、切り換え突起２１は、前述した端面２５，２６が前述した方向に傾斜することで、仮係止位置ではこの仮係止位置にインナホルダ５を保ち、本係止位置ではこの本係止位置にインナホルダ５を保つ。
【００５６】
そして、図６に示すように、操作用孔９の他方の開口部８ｂ寄りの端部内に位置付けられた操作部１５を治具１６などで、矢印Ｘ１に沿って押圧する。すると、前述した端面２５，２６が前述した矢印Ｘ，Ｙ，Ｚに対し交差しかつ前述した方向に傾斜しているので、インナホルダ５が縮まりかつコネクタハウジング４が拡がる方向に弾性変形して、インナホルダ５が矢印Ｘに沿って移動する。
【００５７】
こうして、インナホルダ５は、本係止位置と仮係止位置とに亘ってスライドする。このように、切り換え突起２１は、コネクタハウジング４の内面に係止して、インナホルダ５を仮係止位置と本係止位置とのいずれか一方に位置付けるとともに、前記仮係止位置と本係止位置とに亘って変位することを許容する。
【００５８】
本実施形態によれば、コネクタハウジング４の外壁１３を貫通した操作用孔９を通して、インナホルダ５を押圧することで、このインナホルダ５を仮係止位置と本係止位置とに亘って移動できる。仮係止位置と本係止位置とに亘って移動する際にインナホルダ５に接触する治具１６などが操作用孔９を通してコネクタハウジング４内に挿入され、操作用孔９がインナホルダ５の外面１４ａと相対している。このため、前述した治具１６などが不意に雄端子３の電気接触部７に接触することを防止できる。したがって、雄端子３の電気接触部７などが折れ曲がったり破損することを防止でき、雄端子３を相手側の端子金具としての雌端子に確実に接続できる。
【００５９】
操作部１５が操作用孔９内に位置付けられるので、この操作部１５を確実に操作できる。このため、インナホルダ５を仮係止位置と本係止位置とに亘って確実に移動できる。
【００６０】
操作部１５がインナホルダ５の本体部１４から突出している。このため、操作部１５を確実に押圧でき、この操作部１５を押圧することで、インナホルダ５を仮係止位置と本係止位置とに亘って確実に移動できる。
【００６１】
一対の保護壁１０が、インナホルダ５の移動する方向としての矢印Ｘに対し交差する方向としての矢印Ｙに沿って互いに間隔をあけ、互いの間に操作部１５を位置付けている。このため、保護壁１０が操作部１５の移動を妨げない。また、一対の保護壁１０間に操作部１５が配され、保護壁１０が操作部１５よりコネクタハウジング４の外壁１３から突出している。このため、外部の物品などが、不意に操作部１５に接触して、この操作部１５をインナホルダ５の移動する方向としての矢印Ｘに沿って押圧することを防止できる。したがって、特にインナホルダ５が不意に仮係止位置に移動して、雄端子３が不意にコネクタハウジング４から脱落することを防止できる。
【００６２】
インナホルダ５の脱落防止突起２０と切り換え突起２１とが、一対の保護壁１０が互いに間隔をあけた方向としての矢印Ｙと、インナホルダ５の移動する方向としての矢印Ｘに対し交差する方向としての矢印Ｚに沿って並んでいる。このため、インナホルダ５を成形する際に用いる金型などの構成を簡便にできる。したがって、インナホルダ５即ちコネクタ１のコストの高騰を防止できる。
【００６３】
【発明の効果】
以上説明したように、請求項１に記載の本発明は、コネクタハウジングの外壁を貫通した操作用孔を通して、インナホルダを押圧することで、このインナホルダを仮係止位置と本係止位置とに亘って移動できる。操作用孔がインナホルダの外面と相対している。仮係止位置と本係止位置とに亘って移動する際にインナホルダに接触する治具などが操作用孔を通してコネクタハウジング内に挿入される。このため、前述した治具などが不意に端子金具に接触することを防止できる。したがって、端子金具が折れ曲がったり破損することを防止でき、端子金具を相手側の端子金具と確実に接続できる。
【００６４】
請求項２に記載の本発明は、操作部が操作用孔内に位置付けられるので、この操作部を確実に操作できる。このため、インナホルダを仮係止位置と本係止位置とに亘って確実に移動できる。
【００６５】
請求項３に記載の本発明は、操作部がインナホルダの本体部から突出している。このため、操作部を確実に押圧でき、この操作部を押圧することで、インナホルダを仮係止位置と本係止位置とに亘って確実に移動できる。
【００６６】
請求項４に記載の本発明は、一対の保護壁がインナホルダの移動する方向に対し交差する方向に沿って互いに間隔をあけ、互いの間に操作部を位置付けている。このため、保護壁が操作部の移動を妨げない。また、一対の保護壁間に操作部が配され、保護壁が操作部よりコネクタハウジングの外壁から突出している。このため、外部の物品が、不意に操作部に接触して、この操作部をインナホルダの移動する方向に沿って押圧することを防止できる。したがって、特にインナホルダが不意に仮係止位置に移動して、端子金具が不意にコネクタハウジングから脱落することを防止できる。
【００６７】
請求項５に記載の本発明は、インナホルダの脱落防止突起と切り換え突起とが、インナホルダの移動する方向に対し交差する方向に沿って並んでいる。このため、インナホルダを成形する際に用いる金型などの構成を簡便にできる。したがって、インナホルダ即ちコネクタのコストの高騰を防止できる。
【図面の簡単な説明】
【図１】本発明の一実施形態にかかるコネクタの斜視図である。
【図２】図１に示されたコネクタを分解して示す斜視図である。
【図３】図１に示されたコネクタのコネクタハウジングとインナホルダとを断面で示す斜視図である。
【図４】図３に示されたインナホルダが本係止位置に位置付けられた状態を断面で示す斜視図である。
【図５】図１に示されたコネクタのインナホルダが仮係止位置に位置付けられた状態の断面図である。
【図６】図１に示されたコネクタのインナホルダが本係止位置に位置付けられた状態の断面図である。
【図７】図１中のＶＩＩ−ＶＩＩ線に沿う断面図である。
【図８】（ａ）は仮係止位置での脱落防止突起とインナホルダスライド溝との相対的な位置を示す断面図である。
（ｂ）は仮係止位置での切り換え突起と第２切り換え突起との相対的な位置を示す断面図である。
（ｃ）は本係止位置での脱落防止突起とインナホルダスライド溝との相対的な位置を示す断面図である。
（ｄ）は本係止位置での切り換え突起と第２切り換え突起との相対的な位置を示す断面図である。
【図９】従来のコネクタを断面で示す斜視図である。
【図１０】従来の他のコネクタを断面で示す斜視図である。
【図１１】従来の更に別のコネクタを断面で示す斜視図である。
【符号の説明】
１  コネクタ
３  雄端子（端子金具）
４  コネクタハウジング
５  インナホルダ
８ａ  一方の開口部
９  操作用孔
１０  保護壁
１３  外壁
１４  本体部
１４ａ  外面
１５  操作部
２０  脱落防止突起
２１  切り換え突起
Ｘ２  インナホルダがコネクタハウジング内に挿入される方向
Ｘ  インナホルダの移動する方向
Ｙ  幅方向（インナホルダの移動する方向に対し交差する方向）
Ｚ  厚み方向（インナホルダの移動する方向に対し交差する方向）
【図１】
2004241330.tif 000003
【図２】
2004241330.tif 000004
【図３】
2004241330.tif 000005
【図４】
2004241330.tif 000006
【図５】
2004241330.tif 000007
【図６】
2004241330.tif 000008
【図７】
2004241330.tif 000009
【図８】
2004241330.tif 000010
【図９】
2004241330.tif 000011
【図１０】
2004241330.tif 000012
【図１１】
2004241330.tif 000013